【手続補正書】
【提出日】平成17年12月28日(2005.12.28)
【手続補正１】
【補正対象書類名】明細書
【補正対象項目名】特許請求の範囲
【補正方法】変更
【補正の内容】
【特許請求の範囲】
【請求項１】
光源手段と、偏向手段と、該光源手段から出射された光束を該偏向手段に導光する入射光学手段と、該偏向手段によって反射偏向された光束を被走査面上に結像させるｆθ特性を備えた走査光学手段と、を有する光走査装置において、
前記走査光学手段は、第１のレンズ、第２のレンズからなり、該第１のレンズは、該偏向手段側に配置され、該第２のレンズは、前記被走査面側に配置されており、
該第１のレンズは、主走査断面内において該偏向手段側に凹面を向けたメニスカス状の正レンズであり、該第２のレンズは、主走査断面内において該偏向手段側に凸面を向けたメニスカス状のレンズであり、該第２のレンズの入射面の主走査断面内における形状が該第２のレンズの光軸上からレンズ有効部の両端部へかけて凸から凹へ反転し、且つ、該第２のレンズの光軸方向において該第２のレンズのレンズ有効部の両端部でのレンズ面位置が該第２のレンズの光軸上の面位置よりも該偏向手段側に位置していることを特徴とする光走査装置。
【請求項２】
前記第１のレンズ、第２のレンズは共に主走査断面内において非円弧なレンズであり、該第１のレンズの入射面及び出射面は共に主走査断面内においてベース球面から前記被走査面側に変位した非円弧形状であり、該第２のレンズの入射面及び出射面は共に主走査断面内においてベース球面から前記偏向手段側に変位した非円弧形状であることを特徴とする請求項１記載の光走査装置。
【請求項３】
前記第１のレンズの入射面及び出射面と前記第２のレンズの出射面との主走査断面内における形状は、レンズ有効部の両端部での面位置が共に該レンズの光軸上の面頂点の位置よりも該レンズの光軸方向において前記偏向手段側に位置しており、該第１のレンズ、第２のレンズの入射面及び出射面はレンズ有効部の両端部での曲率が共に負であることを特徴とする請求項１又は２記載の光走査装置。
【請求項４】
記第１のレンズの入射面及び出射面の主走査方向の曲率は共に該レンズの光軸上から両端部に離れるに従い大きくなり、その後、変曲点を取って徐々に小さくなることを特徴とする請求項１乃至３のいずれか一項記載の光走査装置。
【請求項５】
前記第１のレンズ、前記第２のレンズの主走査断面内におけるパワーを各々φ１、φ２としたとき、
φ２≦φ１／５
なる条件を満足することを特徴とする請求項１乃至４のいずれか１項記載の光走査装置。
【請求項６】
主走査断面内において、前記第２のレンズの主平面は、前記走査光学手段の光軸方向において前記第１のレンズよりも前記偏向手段側に位置していることを特徴とする請求項１乃至５のいずれか１項記載の光走査装置。
【請求項７】
前記走査光学手段の光軸方向において前記偏向手段の偏向面から前記第２のレンズの被走査面側の面までの距離をｄ、該被走査面上の有効走査幅をＷとしたとき、
ｄ／Ｗ≦０．２
なる条件を満足することを特徴とする請求項１乃至６のいずれか１項記載の光走査装置。
【請求項８】
前記走査光学手段のｆθ係数をｋ、前記被走査面上の有効走査幅をＷとしたとき、
ｋ／Ｗ≦０．６
なる条件を満足することを特徴とする請求項１乃至７のいずれか１項記載の光走査装置。
【請求項９】
前記光源手段は複数の発光部を有することを特徴とする請求項１乃至８のいずれか１項記載の光走査装置。
【請求項１０】
請求項１乃至９のいずれか１項記載の光走査装置と、該光走査装置の被走査面に配置された感光体と、該感光体上を光束が走査することによって形成された静電潜像をトナー像として現像する現像手段と、該現像されたトナー像を用紙に転写する転写手段と、転写されたトナー像を用紙に定着させる定着手段とを備えたことを特徴とする画像形成装置。
【手続補正２】
【補正対象書類名】明細書
【補正対象項目名】００１５
【補正方法】変更
【補正の内容】
【００１５】
【課題を解決するための手段】
請求項１の発明の光走査装置は、光源手段と、偏向手段と、該光源手段から出射された光束を該偏向手段に導光する入射光学手段と、該偏向手段によって反射偏向された光束を被走査面上に結像させるｆθ特性を備えた走査光学手段と、を有する光走査装置において、
前記走査光学手段は、第１のレンズ、第２のレンズからなり、該第１のレンズは、該偏向手段側に配置され、該第２のレンズは、前記被走査面側に配置されており、
該第１のレンズは、主走査断面内において該偏向手段側に凹面を向けたメニスカス状の正レンズであり、該第２のレンズは、主走査断面内において該偏向手段側に凸面を向けたメニスカス状のレンズであり、該第２のレンズの入射面の主走査断面内における形状が該第２のレンズの光軸上からレンズ有効部の両端部へかけて凸から凹へ反転し、且つ、該第２のレンズの光軸方向において該第２のレンズのレンズ有効部の両端部でのレンズ面位置が該第２のレンズの光軸上の面位置よりも該偏向手段側に位置していることを特徴としている。
【手続補正３】
【補正対象書類名】明細書
【補正対象項目名】００１６
【補正方法】変更
【補正の内容】
【００１６】
請求項２の発明は、請求項１の発明において、前記第１のレンズ、第２のレンズは共に主走査断面内において非円弧なレンズであり、該第１のレンズの入射面及び出射面は共に主走査断面内においてベース球面から前記被走査面側に変位した非円弧形状であり、該第２のレンズの入射面及び出射面は共に主走査断面内においてベース球面から前記偏向手段側に変位した非円弧形状であることを特徴としている。
【手続補正４】
【補正対象書類名】明細書
【補正対象項目名】００１７
【補正方法】変更
【補正の内容】
【００１７】
請求項３の発明は、請求項１又は２の発明において、前記第１のレンズの入射面及び出射面と前記第２のレンズの出射面との主走査断面内における形状は、レンズ有効部の両端部での面位置が共に該レンズの光軸上の面頂点の位置よりも該レンズの光軸方向において前記偏向手段側に位置しており、該第１のレンズ、第２のレンズの入射面及び出射面はレンズ有効部の両端部での曲率が共に負であることを特徴としている。
【手続補正５】
【補正対象書類名】明細書
【補正対象項目名】００１８
【補正方法】変更
【補正の内容】
【００１８】
請求項４の発明は、請求項１乃至３のいずれか１項の発明において、記第１のレンズの入射面及び出射面の主走査方向の曲率は共に該レンズの光軸上から両端部に離れるに従い大きくなり、その後、変曲点を取って徐々に小さくなることを特徴としている。
【手続補正６】
【補正対象書類名】明細書
【補正対象項目名】００１９
【補正方法】変更
【補正の内容】
【００１９】
請求項５の発明は、請求項１乃至４のいずれか１項の発明において、前記第１のレンズ、前記第２のレンズの主走査断面内におけるパワーを各々φ１、φ２としたとき、
φ２≦φ１／５
なる条件を満足することを特徴としている。
【手続補正７】
【補正対象書類名】明細書
【補正対象項目名】００２０
【補正方法】変更
【補正の内容】
【００２０】
請求項６の発明は、請求項１乃至５のいずれか１項の発明において、主走査断面内において、前記第２のレンズの主平面は、前記走査光学手段の光軸方向において前記第１のレンズよりも前記偏向手段側に位置していることを特徴としている。
【手続補正８】
【補正対象書類名】明細書
【補正対象項目名】００２１
【補正方法】変更
【補正の内容】
【００２１】
請求項７の発明は、請求項１乃至６のいずれか１項の発明において、前記走査光学手段の光軸方向において前記偏向手段の偏向面から前記第２のレンズの被走査面側の面までの距離をｄ、該被走査面上の有効走査幅をＷとしたとき、
ｄ／Ｗ≦０．２
なる条件を満足することを特徴としている。
【手続補正９】
【補正対象書類名】明細書
【補正対象項目名】００２２
【補正方法】変更
【補正の内容】
【００２２】
請求項８の発明は、請求項１乃至７のいずれか１項の発明において、前記走査光学手段のｆθ係数をｋ、前記被走査面上の有効走査幅をＷとしたとき、
ｋ／Ｗ≦０．６
なる条件を満足することを特徴としている。
【手続補正１０】
【補正対象書類名】明細書
【補正対象項目名】００２３
【補正方法】変更
【補正の内容】
【００２３】
請求項９の発明は、請求項１乃至８のいずれか１項の発明において、前記光源手段は複数の発光部を有することを特徴としている。
【手続補正１１】
【補正対象書類名】明細書
【補正対象項目名】００２４
【補正方法】変更
【補正の内容】
【００２４】
請求項１０の発明の画像形成装置は、請求項１乃至９のいずれか１項記載の光走査装置と、該光走査装置の被走査面に配置された感光体と、該感光体上を光束が走査することによって形成された静電潜像をトナー像として現像する現像手段と、該現像されたトナー像を用紙に転写する転写手段と、転写されたトナー像を用紙に定着させる定着手段とを備えたことを特徴としている。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】削除
【補正の内容】
【手続補正２８】
【補正対象書類名】明細書
【補正対象項目名】００４１
【補正方法】削除
【補正の内容】
【手続補正２９】
【補正対象書類名】明細書
【補正対象項目名】００４２
【補正方法】削除
【補正の内容】
【手続補正３０】
【補正対象書類名】明細書
【補正対象項目名】００４３
【補正方法】削除
【補正の内容】
【手続補正３１】
【補正対象書類名】明細書
【補正対象項目名】００４４
【補正方法】削除
【補正の内容】
【手続補正３２】
【補正対象書類名】明細書
【補正対象項目名】００４５
【補正方法】削除
【補正の内容】
【手続補正３３】
【補正対象書類名】明細書
【補正対象項目名】００４６
【補正方法】削除
【補正の内容】
【手続補正３４】
【補正対象書類名】明細書
【補正対象項目名】００４７
【補正方法】削除
【補正の内容】
【手続補正３５】
【補正対象書類名】明細書
【補正対象項目名】００４８
【補正方法】削除
【補正の内容】
【手続補正３６】
【補正対象書類名】明細書
【補正対象項目名】００４９
【補正方法】削除
【補正の内容】
【手続補正３７】
【補正対象書類名】明細書
【補正対象項目名】００５０
【補正方法】削除
【補正の内容】
【手続補正３８】
【補正対象書類名】明細書
【補正対象項目名】００５１
【補正方法】削除
【補正の内容】
【手続補正３９】
【補正対象書類名】明細書
【補正対象項目名】００５２
【補正方法】削除
【補正の内容】
【手続補正４０】
【補正対象書類名】明細書
【補正対象項目名】００７７
【補正方法】変更
【補正の内容】
【００７７】
第１のｆθレンズ６の各面６ａ，６ｂの母線方向（主走査方向）の曲率は、共に該レンズ６の光軸上からレンズ有効部の両端部へかけて徐々に大きくなり、途中で変曲点を取って徐々に小さくなるように形成されている。これにより広画角における像面湾曲を良好に補正することができる。